(57)【要約】【課題】噴霧部が本体部に対して着脱自在となっている場合に、該噴霧部と本体部との良好な接続状態を維持できる除菌水噴霧器を提供する。【解決手段】除菌水生成部１０は、食塩水又は希塩酸を貯留する貯留部１１Ｃと、該貯留部１１Ｃ内に配置され食塩水又は希塩酸を電気分解する少なくとも一対の電極１２と、超音波振動子２１を駆動する駆動回路部１３と、噴霧部２０が取り付けられる取付部１１Ｅと、上記駆動回路部１３と上記噴霧部２０とを電気的に接続する接続部材１４とを有し、上記噴霧部２０は、上記超音波振動子２１と、上記接続部材１４を介して上記駆動回路部１３に接続される端子２２とを有しており、上記接続部材１４は、一端部が上記駆動回路部１３と接続されているとともに、他端部が上記取付部１１Ｅで保持され上記端子と接触する接触部１４Ｂとして形成されており、少なくとも該接触部１４Ｂが導電性樹脂製である。【選択図】図３
2019122722.tif 000002
【特許請求の範囲】
【請求項１】
除菌水を霧化して噴霧する除菌水噴霧器において、
食塩水又は希塩酸を電気分解して除菌水を生成する除菌水生成部と、
該除菌水生成部に着脱自在に取り付けられ、該除菌水生成部で生成された除菌水を超音波振動子の超音波振動により霧化して噴霧する噴霧部とを備え、
上記除菌水生成部は、食塩水又は希塩酸を貯留する貯留部と、該貯留部内に配置され食塩水又は希塩酸を電気分解する少なくとも一対の電極と、上記超音波振動子を駆動する駆動回路部と、上記噴霧部が取り付けられる取付部と、上記駆動回路部と上記噴霧部とを電気的に接続する接続部材とを有し、
上記噴霧部は、上記超音波振動子と、上記接続部材を介して上記駆動回路部に接続される端子とを有しており、上記接続部材は、一端部が上記駆動回路部と接続されているとともに、他端部が上記取付部で保持され上記端子と接触する接触部として形成されており、少なくとも該接触部が導電性樹脂製であることを特徴とする除菌水噴霧器。
【請求項２】
上記接続部材の上記接触部は、上記取付部にて上記除菌水生成部と上記噴霧部との間を水密状態としていることとする請求項１に記載の除菌水噴霧器。
【請求項３】
上記接続部材は、少なくとも該接触部が導電性シリコンゴム製であることとする請求項１又は請求項２に記載の除菌水噴霧器。
【発明の詳細な説明】
【技術分野】
【０００１】
本発明は、除菌水を霧化して噴霧する除菌水噴霧器に関する。
【背景技術】
【０００２】
近年、室内空間に浮遊するウィルスや細菌等を除去するために、除菌水を霧化して噴霧する除菌水噴霧器が使用されることが多くなってきている。除菌水は、例えば、食塩水又は希塩酸を電気分解することにより生成され、このようにして生成された除菌水は強力な除菌作用を有している。このような除菌水としては、例えば、強酸性、アルカリ性、微酸性、弱酸性の電解次亜水（次亜塩素酸水溶液）が挙げられる。
【０００３】
除菌水噴霧器としては、噴霧部に設けられた超音波振動子を超音波振動させることにより、該超音波振動子と接触する電解次亜水を霧化して噴霧する形式のものが知られている。このような除菌水噴霧器においては、超音波振動子を有する噴霧部は比較的破損しやすいので、通常、該噴霧部が除菌水噴霧器の本体部に対して着脱自在となっていて、噴霧部分のみの交換が可能となっている。このような除菌水噴霧器では、交換可能な噴霧部に超音波振動子が設けられ、本体部に該超音波振動子を駆動するための駆動回路が設けられ、該噴霧部と該本体部とが金属製の端子同士の接触により接続されて、超音波振動子と駆動回路とが電気的に導通するようになっている。
【先行技術文献】
【特許文献】
【０００４】
【特許文献１】発見できず
【発明の概要】
【発明が解決しようとする課題】
【０００５】
しかしながら、食塩水又は希塩酸を電気分解することにより生成される除菌水は、金属との接触により該金属に錆を発生させる性質を有している。したがって、上述したように噴霧部と本体部とが金属製の端子同士で接続されている場合、除菌水が該端子同士の接続部分に接触すると、噴霧部の端子のみならず、本体部の端子も錆びてしまう。この結果、噴霧部を交換したとしても、本体部の端子が錆びている以上、端子同士の良好な接続状態を確保することはできない。
【０００６】
本発明は、かかる事情に鑑み、噴霧部が本体部に対して着脱自在となっている場合に、該噴霧部と本体部との良好な接続状態を維持できる除菌水噴霧器を提供することを課題とする。
【課題を解決するための手段】
【０００７】
本発明に係る除菌水噴霧器は、除菌水を霧化して噴霧する。
【０００８】
かかる除菌水噴霧器において、本発明では、食塩水又は希塩酸を電気分解して除菌水を生成する除菌水生成部と、該除菌水生成部に着脱自在に取り付けられ、該除菌水生成部で生成された除菌水を超音波振動子の超音波振動により霧化して噴霧する噴霧部とを備え、上記除菌水生成部は、食塩水又は希塩酸を貯留する貯留部と、該貯留部内に配置され食塩水又は希塩酸を電気分解する少なくとも一対の電極と、上記超音波振動子を駆動する駆動回路部と、上記噴霧部が取り付けられる取付部と、上記駆動回路部と上記噴霧部とを電気的に接続する接続部材とを有し、上記噴霧部は、上記超音波振動子と、上記接続部材を介して上記駆動回路部に接続される端子とを有しており、上記接続部材は、一端部が上記駆動回路部と接続されているとともに、他端部が上記取付部で保持され上記端子と接触する接触部として形成されており、少なくとも該接触部が導電性樹脂製であることを特徴としている。
【０００９】
本発明では、上記接続部材は、噴霧部の端子との接触のための接触部が導電性樹脂製となっていて、該接触部が除菌水に接触しても錆びることはない。したがって、仮に噴霧部の端子が金属製であった場合、該端子が除菌水との接触により錆びたとしても、噴霧部を交換するだけで、該噴霧部と除菌水生成部との良好な接続状態を確保できる。この結果、除菌水噴霧器を長期間にわたり使用することが可能となる。
【００１０】
本発明において、上記接続部材の上記接触部は、上記取付部にて上記除菌水生成部と上記噴霧部との間を水密状態としていてもよい。このように、上記接触部によって水密状態とすることにより、除菌水が噴霧部側から除菌水生成部内へ浸入することがなくなる。したがって、除菌水生成部内に設けられた金属製の部品が除菌水との接触により錆びることを防止できる。
【００１１】
本発明において、上記接続部材は、少なくとも該接触部が導電性シリコンゴム製であることとしてもよい。
【発明の効果】
【００１２】
本発明は、以上のように、除菌水生成部の接続部材の少なくとも接触部が導電性樹脂製であり、該接触部が噴霧部の端子と接触するようになっている。したがって、該接触部に除菌水が接触しても該接触部が錆びることはないので、噴霧部と除菌水生成部との良好な接続状態を確保でき、除菌水噴霧器を長期間にわたり使用することが可能となる。
【図面の簡単な説明】
【００１３】
【図１】（Ａ）は、本実施形態に係る除菌水噴霧器を斜め上方から見た斜視図、（Ｂ）は、（Ａ）の除菌水噴霧器を、噴霧部及び蓋部を分離した状態で示した斜視図、（Ｃ）は、（Ｂ）の除菌水噴霧器を斜め下方から見た斜視図である。
【図２】除菌水噴霧器の内部構造を示す斜視図であり、（Ａ）は斜め上方から見た状態、（Ｂ）は斜め下方から見た状態を示している。
【図３】除菌水噴霧器の縦断面図であり、噴霧部の端子の位置での断面を示している。
【図４】除菌水噴霧器の縦断面図であり、噴霧部の端子の位置での断面を、噴霧部及び蓋部を分離した状態で示している。
【発明を実施するための形態】
【００１４】
以下、添付図面に基づいて本発明の実施形態を説明する。
【００１５】
図１（Ａ）は、本実施形態に係る除菌水噴霧器を斜め上方から見た斜視図、図１（Ｂ）は、図１（Ａ）の除菌水噴霧器を、噴霧部及び蓋部を分離した状態で示した斜視図、図１（Ｃ）は、図１（Ｂ）の除菌水噴霧器を斜め下方から見た斜視図である。図２は、除菌水噴霧器の内部構造を示す斜視図であり、（Ａ）は斜め上方から見た状態、（Ｂ）は斜め下方から見た状態を示している。図３は、除菌水噴霧器の縦断面図であり、噴霧部の端子の位置での断面を示している。図４は、除菌水噴霧器の縦断面図であり、噴霧部の端子の位置での断面を、噴霧部及び蓋部を分離した状態で示している。
【００１６】
本実施形態に係る除菌水噴霧器１は、室内空間に浮遊するウィルスや細菌等を除去するための除菌水を生成し、生成した除菌水を超音波振動子の超音波振動により霧化して室内空間に噴霧する。本実施形態では、食塩水を電気分解して電解次亜水を除菌水として生成し、該電解次亜水を霧化して噴霧するようになっている。
【００１７】
除菌水噴霧器１は、図１（Ａ）〜（Ｃ）、図３及び図４に見られるように、食塩水を電気分解して除菌水（電解次亜水）を生成する本体部としての除菌水生成部１０と、該除菌水生成部１０に着脱自在に取り付けられ、該除菌水生成部１０で生成された除菌水を後述の超音波振動子２１の超音波振動により霧化して噴霧する噴霧部２０とを有している。
【００１８】
除菌水生成部１０は、上下方向（Ｚ軸方向）に延びる軸線をもつ略円筒状のケース部１１と、食塩水を電気分解するための一対の電極１２と、後述の超音波振動子２１を駆動する駆動回路部１３と、該駆動回路部１３と噴霧部２０とを電気的に接続する接続部材１４と、ケース部１１の上部に着脱自在に取り付けられる蓋部１５とを有している。
【００１９】
ケース部１１は、電気絶縁材料で成形されており、環状のゴムパッキン１８（図３及び図４参照）を介して上下方向に組み合わせられた上側ケース部１１Ａと下側ケース部１１Ｂとで構成されている。上側ケース部１１Ａは、上方（Ｚ１方向）へ向けて開口した略円筒状をなし、該上側ケース部１１Ａ内の空間が、食塩水を貯留するための貯留部１１Ｃを形成している。該貯留部１１Ｃは、上端開口から食塩水の供給を受けるようになっている。
【００２０】
上側ケース部１１Ａの下壁１１Ａ−１は、図３及び図４に見られるように、その中央域で下方に没入することにより電気分解部１１Ｃ−１としての空間を形成している。該電気分解部１１Ｃ−１は、貯留部１１Ｃの一部をなしており、その下部に一対の電極１２を収容している。該電気分解部１１Ｃ−１では、該電極１２により食塩水が電気分解されて除菌水（電解次亜水）が生成される。該電気分解部１１Ｃ−１は、その下面の一部が開口しており、後述の送水口部１１Ｅ−１を介して外部と連通している。
【００２１】
下側ケース部１１Ｂは、上方及び下方へ向けて開口した略円筒状をなし、上側ケース部１１Ａの下壁１１Ａ−１で上端開口が閉塞されるとともに、環状のゴムパッキン１９（図３及び図４参照）を介して着脱可能な底壁１１Ｄによって下端開口が閉塞されている。下側ケース部１１Ｂは、駆動回路部１３及び接続部材１４を収容している。該駆動回路部１３及び接続部材１４は、上記下端開口を経て上側ケース部１１Ａ内に下方から収容される。
【００２２】
また、下側ケース部１１Ｂの前部（Ｙ２側の部分）には、噴霧部２０が着脱自在に取り付けられる取付部１１Ｅが形成されている。該取付部１１Ｅは、下側ケース部１１Ｂの前面が没することで形成されており、その中央域には、貯留部１１Ｃの電気分解部１１Ｃ−１で生成された除菌水を噴霧部２０へ送るための送水口部１１Ｅ−１と、接続部材１４の後述の接触部１４Ｂを保持するための二つの保持部１１Ｅ−２とが形成されている。
【００２３】
送水口部１１Ｅ−１は、図１（Ａ）に見られるように、下側ケース部１１Ｂの前面から前方へ突出する略円筒状をなし、貯留部１１Ｃの電気分解部１１Ｃ−１と外部とを連通させている。また、保持部１１Ｅ−２は、除菌水噴霧器１の幅方向（Ｘ軸方向）で該送水口部１１Ｅ−１の両側に一つずつ設けられており、下側ケース部１１Ｂの前面から前方へ突出する略円筒状をなしている。該保持部１１Ｅ−２は前後方向に貫通する孔部を有しており、該孔部内で接続部材１４の接触部１４Ｂを保持するようになっている（図３及び図４参照）。
【００２４】
図２（Ａ），（Ｂ）に見られるように、一対の電極１２は、除菌水噴霧器１の幅方向（Ｘ軸方向）に延びる棒状をなし、図３及び図４に見られるように、電気分解部１１Ｃ−１の下部内に配置されている。該一対の電極１２は、正電極１２Ａと負電極１２Ｂとを有しており、それぞれ導線（例えば、銅線等の金属線）１６によって駆動回路部１３に接続されている。
【００２５】
駆動回路部１３は、上下方向（Ｚ軸方向）に対して直角な平坦面（板面）をもつ回路基板として構成されている。該駆動回路部１３は、上記幅方向での中央域にて前端部が切り欠かれて形成された切欠部１３Ａが形成されている。また、該駆動回路部１３は、上記幅方向での接続部材１４と対応する位置に、後述のねじ１７の挿通を許容するねじ孔１３Ｂが形成されている。
【００２６】
駆動回路部１３は、接続部材１４を介して噴霧部２０と接続され、該噴霧部２０の超音波振動子２１を駆動する駆動回路（図示せず）が形成されている。また、駆動回路部１３は、一対の電極１２の正電極１２Ａ及び負電極１２Ｂのそれぞれと導線１６で接続されており、該正電極１２Ａ及び該負電極１２Ｂに食塩水を電気分解するための電圧を負荷する機能をも有している。
【００２７】
接続部材１４は、図２（Ａ），（Ｂ）に見られるように、駆動回路部１３の切欠部１３Ａ内にて除菌水噴霧器１の幅方向（Ｘ軸方向）で間隔をもって二つ設けられている。各接続部材１４は、その全体が導電性樹脂である導電性シリコンゴムで作られており、一端部に形成され駆動回路部１３に接続される回路接続部１４Ａ（図２（Ｂ）参照）と、他端部に形成され噴霧部２０の後述の端子２２に接続される接触部１４Ｂと、該回路接続部１４Ａと該接触部１４Ｂとを連結する連結部１４Ｃとを有している。
【００２８】
回路接続部１４Ａ及び連結部１４Ｃは連続した一つの帯状体を形成しており、該帯状体は、図２（Ｂ）に見られるように、回路接続部１４Ａと連結部１４Ｃとの境界位置にてＬ字状をなすように厚み方向で屈曲されている。回路接続部１４Ａは、駆動回路部１３の下面に沿って前後方向（Ｘ軸方向）に延びている。該回路接続部１４Ａの中央位置にはねじ孔が上下方向に貫通して形成されており、該ねじ孔へ下方からねじ１７が挿通されることにより、該回路接続部１４Ａは、駆動回路部１３に取り付けられるとともに該駆動回路部１３の駆動回路に接続されている。
【００２９】
接触部１４Ｂは、連結部１４Ｃの上端部から前方へ突出しており、前後方向（Ｘ軸方向）に延びる軸線をもつ略円筒状をなしている。該接触部１４Ｂは前方に開口する接触孔部１４Ｂ−１を有しており、該接触孔部１４Ｂ−１で噴霧部２０の後述する端子２２を受け入れて、該端子２２と接触するようになっている（図３参照）。また、該接触部１４Ｂは、ケース１１の保持部１１Ｅ−２内へ後方から圧入することにより該保持部１１Ｅ−２で保持されている（図３及び図４参照）。したがって、該接触部１４Ｂの外周面と保持部１１Ｅ−２の内周面とは密着しており、この結果、除菌水生成部１０と噴霧部２０との間が水密状態に保たれている。このように、接触部１４Ｂによって水密状態とすることにより、除菌水が噴霧部２０側から保持部１１Ｅ−２を経て除菌水生成部１０内へ浸入することがなくなる。したがって、除菌水生成部１０内に設けられた金属製の部品が除菌水との接触により錆びることを防止できる。
【００３０】
本実施形態では、接続部材１４は導電性シリコンゴムで作られていて柔軟性を有しているので、容易に屈曲させることができ、ケース部１１内の限られたスペース内においても、該スペースに応じた形状に変形させて、駆動回路部１３と噴霧部２０とを確実に接続することができる。また、接続部材１４を構成する導電性シリコンゴムは、良好な導電性の確保という観点から、例えば、約２５〜３００Ωの抵抗値を有していることが好ましい。
【００３１】
蓋部１５は、電気絶縁材料で作られており、図１（Ｃ）、図３及び図４に見られるように、下端が開口した円筒状をなしている。該蓋部１５は、その外周面（側面）から下方（Ｚ２方向）へ延びる係止片１５Ａを有しており、該係止片１５Ａにより上側ケース部１１Ａに取り付けられるようになっている。具体的には、係止片１５Ａの下端には孔状の係止部１５Ａ−１が形成されており、該係止部１５Ａ−１が、上側ケース部１１Ａの外周面に形成された突起状の被係止部（図示せず）に上下方向で係止することにより、蓋部１５が上側ケース部１１Ａに取り付けられる。
【００３２】
噴霧部２０は、超音波振動子２１と、該超音波振動子２１に接続された金属製の二つの端子２２と、該超音波振動子２１及び該二つの端子２２を保持する噴霧本体部２３と、該噴霧本体部２３に取り付けられたキャップ部２４とを有している。
【００３３】
超音波振動子２１は、図２（Ａ），（Ｂ）に見られるように、円板状をなしており、セラミック製の板状部材とステンレス製の板状部材とが接着剤で張り合わせられて構成されている。該超音波振動子２１は、その前面（Ｙ２側の板面）が斜め上方を向いた傾斜姿勢で配置されている。該超音波振動子２１の中央域には、霧化された除菌水の噴霧を許容する孔部２１Ａが板厚方向に貫通して形成されている。端子２２は、除菌水噴霧器１の幅方向（Ｘ軸方向）での超音波振動子２１の両側で、既述の接続部材１４の接触部１４Ｂと対応する位置に一つずつ設けられており、前後方向（Ｙ軸方向）に延びるピン状をなしている。それぞれの端子２２は、図２（Ａ）に見られるように、導線（例えば、銅線等の金属線）２５を介して超音波振動子２１に接続されている。
【００３４】
噴霧本体部２３は、電気絶縁材料で作られており、超音波振動子２１及び二つの端子２２を保持する円筒状のリング部２３Ａと、該リング部２３Ａから後方（Ｙ１方向）へ向けて延びる受水口部２３Ｂとを有している。リング部２３Ａは、超音波振動子２１と同じ角度で傾斜しており、中央域に噴霧孔部２３Ａ−１（図１（Ａ），（Ｂ）参照）がリング部２３Ａの軸線方向に貫通して形成されている。
【００３５】
リング部２３Ａは、超音波振動子２１の周囲部（上記中央域を除いた部分）及び二つの端子２２の前端部（Ｙ２側の端部）を保持している。つまり、超音波振動子２１の中央域の部分は、リング部２３Ａをその軸線方向に見たときに噴霧孔部２３Ａ−１内に位置して露呈しており、二つの端子２２は上記前端部を除く部分がリング部２３Ａの後面（Ｙ１側の面）から突出している（図３及び図４参照）。噴霧部２０が除菌水生成部１０の取付部１１Ｅに取り付けられた状態にて、端子２２の後端部は、図３に見られるように、接続部材１４の接触部１４Ｂの接触孔部１４Ｂ−１へ圧入され、該接触部１４Ｂと接触するようになっている。また、リング部２３Ａの下端部には、キャップ部２４をＸ軸方向の軸線まわりで回動可能な状態で保持する回動保持部２３Ａ−２が形成されている。
【００３６】
受水口部２３Ｂは、除菌水生成部１０の取付部１１Ｅに設けられた送水口部１１Ｅ−１と対応して位置しており（図１（Ｃ）参照）、リング部２３Ａの後面の中央域から後方へ突出する円筒状をなしている。該受水口部２３Ｂは上記送水口部１１Ｅ−１より若干小さい外径で形成されており、噴霧部２０が取付部１１Ｅに取り付けられた状態にて、送水口部１１Ｅ−１内へ挿入されるようになっている。また、該受水口部２３Ｂの外周面には、リング状のゴムパッキン２３Ｃが取り付けられており、該ゴムパッキン２３Ｃにより受水口部２３Ｂの外周面と送水口部１１Ｅ−１の内周面との間で水密状態に保たれるようになっている。
【００３７】
キャップ部２４は、除菌水噴霧器１の幅方向（Ｘ軸方向）に見て略Ｌ字状に屈曲された形状の帯条片２４Ａと、該帯条片２４Ａの一端部に設けられた封止部２４Ｂとを有している。帯条片２４Ａは、その他端部にてリング部２３Ａの回動保持部２３Ａ−２によって、上記幅方向での軸線まわりに回動可能な状態で保持されている。また、封止部２４Ｂは、リング部２３Ａの噴霧孔部２３Ａ−１より若干小さい内径の円筒状をなしている。除菌水噴霧器１の不使用時には、キャップ部２４を上記幅方向での軸線まわりに回動させて、封止部２４Ｂを噴霧孔部２３Ａ−１に嵌入して該噴霧孔部２３Ａ−１を閉塞することにより、噴霧部２０内への埃等の侵入の防止を防止できるようになっている。
【００３８】
噴霧部２０は、超音波振動子２１を有しており、比較的破損しやすいので、除菌水生成部１０に対して着脱自在となっていて、該噴霧部２０のみの交換が可能となっている。該噴霧部２０は、図１（Ｂ），（Ｃ）及び図４に示されるような除菌水生成部１０の取付部１１Ｅの前方位置から後方（Ｙ１方向）へ移動されることにより該取付部１１Ｅに取り付けられる。噴霧部２０が取付部１１Ｅに取り付けられると、該噴霧部２０の受水口部２３Ｂが取付部１１Ｅの送水口部１１Ｅ−１へ嵌入して該送水口部１１Ｅ−１と連通する。また、噴霧部２０の端子２２が接続部材１４の接触部１４Ｂの接触孔部１４Ｂ−１へ圧入されて該接触部１４Ｂと接触する（図３参照）。この結果、駆動回路部１３と超音波振動子２１とが電気的に導通し、駆動回路部１３の駆動により該超音波振動子２１を超音波振動させることができる。また、除菌水生成部１０に取り付けられた噴霧部２０は、該噴霧部２０を前方へ向けて引き抜くことにより取り外し可能となっている。
【００３９】
このような構成の除菌水噴霧器１は、次の要領で使用される。まず、蓋部１５を上側ケース部１１Ａから取り外し、貯留部１１Ｃの上端開口から食塩水を注いで該貯留部１１Ｃに貯留する。該貯留部１１Ｃの下部の電気分解部１１Ｃ−１では、駆動回路部１３から電圧を負荷された一対の電極１２により食塩水が電気分解され、除菌水としての電解次亜水が生成される。生成された除菌水は、電気分解部１１Ｃ−１から送水口部１１Ｅ−１及び受水口部２３Ｂを経て超音波振動子２１へ向けて送水される。そして、該除菌水は、駆動回路部１３により駆動されて超音波振動している超音波振動子２１に接触して霧化される。霧化された除菌水は、超音波振動子２１の孔部２１Ａ及びリング部２３Ａの噴霧孔部２３Ａ−１を経て外部（室内空間）へ噴霧される。
【００４０】
本実施形態では、除菌水生成部１０の接続部材１４が導電性シリコンゴムで作られている。つまり、接続部材１４の接触部１４Ｂは導電性シリコンゴムで形成されており、該接触部１４Ｂで噴霧部２０の端子２２と接触するようになっている。したがって、該接触部１４Ｂに除菌水が接触しても該接触部１４Ｂが錆びることがないので、噴霧部２０と除菌水生成部１０との良好な接続状態を確保でき、除菌水噴霧器１を長期間にわたり使用することが可能となる。
【００４１】
また、本実施形態では、接続部材が導電性シリコンゴムで作られていることとしたが、接続部材の材料はこれに限られず、他の導電性樹脂であってもよい。また、本実施形態のように接続部材全体が導電性樹脂で作られていることは必須ではなく、少なくとも接触部が導電性樹脂で作られていればよい。このような接続部材の構成の一例として、例えば、接触部のみが導電性樹脂製で、該接触部以外の部分が金属製であるような構成が挙げられる。このように少なくとも接触部が導電性樹脂製であれば、該接触部は除菌水に接触して錆びることがないので、噴霧部と除菌水生成部との良好な接続状態を確保できる。
【００４２】
本実施形態では、除菌水は、食塩水を電気分解して生成される電解次亜水であることとしたが、本発明は、強酸性、アルカリ性、微酸性、弱酸性の電解次亜水を除菌水として使用する場合にも適用できる。したがって、例えば、希塩酸を電気分解して電解次亜水を除菌水として生成するようにしてもよい。
【符号の説明】
【００４３】
１  除菌水噴霧器                        １４  接続部材
１０  除菌水生成部                      １４Ｂ  接触部
１１Ｃ  貯留部                          ２０  噴霧部
１２  電極                              ２１  超音波振動子
１３  駆動回路部                        ２２  端子
【図１】
2019122722.tif 000003
【図２】
2019122722.tif 000004
【図３】
2019122722.tif 000005
【図４】
2019122722.tif 000006